(57)【要約】【課題】  本発明では小型かつ高ズーム比であって、温度変化に対する結像性能の変動を低減したズームレンズを提供すること。【解決手段】  ズームレンズＢ０は、物体側より像側へ順に、正の屈折力の第１レンズ群Ｂ１、負の屈折力の第２レンズ群Ｂ２、１以上のレンズ群を含む後群ＢＲを有する。第１レンズ群Ｂ１は、所定の条件を満足する正レンズと、所定の条件を満足する負レンズを少なくとも１枚ずつ有する。また、第１レンズ群Ｂ１は所定の条件を満足する。【選択図】  図１
2020177167.tif 000002
【特許請求の範囲】
【請求項１】
物体側より像側へ順に、正の屈折力の第１レンズ群、負の屈折力の第２レンズ群、１以上のレンズ群を含む後群を有し、ズーミングに際して隣り合うレンズ群の間隔が変化するズームレンズであって、
前記第１レンズ群は、
ｄ線に対するアッベ数をνｄ１ｐ、ｄ線に対する屈折率の温度係数（１０−６／℃）をｄｎ１ｐ／ｄｔとしたとき、
６０．０＜νｄ１ｐ＜１００．０
−１５．０＜ｄｎ１ｐ／ｄｔ＜０．０
なる条件式を満足する少なくとも１つの正レンズと、
ｄ線に対する屈折率をＮｄ１ｎ、ｄ線に対するアッベ数をνｄ１ｎ、ｄ線に対する屈折率の温度係数（１０−６／℃）をｄｎ１ｎ／ｄｔとしたとき、
１．８０＜Ｎｄ１ｎ＜２．３０
２６．０＜νｄ１ｎ＜５０．０
−３０．０＜ｄｎ１ｎ／ｄｔ＜２．０
なる条件式を満足する少なくとも１つの負レンズと、を含み、
前記第１レンズ群の焦点距離をｆ１、広角端における前記ズームレンズの焦点距離をｆｗとするとき、
３．０＜ｆ１／ｆｗ＜１００．０
なる条件式を満足することを特徴とするズームレンズ。
【請求項２】
広角端から望遠端までのズーミングに伴う前記第１レンズ群の光軸上での移動量をＭ１、望遠端における前記ズームレンズの焦点距離をｆｔとしたとき、
０．０５＜Ｍ１／ｆｔ＜２．００
なる条件式を満足することを特徴とする請求項１に記載のズームレンズ。
【請求項３】
前記第１レンズ群の焦点距離をｆ１、前記第２レンズ群の焦点距離をｆ２としたとき、
４．０＜｜ｆ１／ｆ２｜＜３０．０
なる条件式を満足することを特徴とする請求項１または２に記載のズームレンズ。
【請求項４】
前記第２レンズ群の焦点距離をｆ２、前記ズームレンズの望遠端における焦点距離をｆｔとしたとき、
０．０１＜｜ｆ２／ｆｔ｜＜０．２０
なる条件式を満足することを特徴とする請求項１乃至３のいずれか一項に記載のズームレンズ。
【請求項５】
前記第１レンズ群は、線膨張係数をαｎ（１０−７／℃）としたとき、
１．８０＜Ｎｄ１ｎ＜２．３０
２６．０＜νｄ１ｎ＜５０．０
−３０．０＜ｄｎ１ｎ／ｄｔ＜２．０
１０＜αｎ＜２００
なる条件式を満足する少なくとも１つの負レンズを含むことを特徴とする請求項１乃至４のいずれか一項に記載のズームレンズ。
【請求項６】
前記第１レンズ群は、負レンズと、前記負レンズの像側に配置された２枚の正レンズを有することを特徴とする請求項１乃至５のいずれか一項に記載のズームレンズ。
【請求項７】
前記第１レンズ群は、物体側から像側へ順に配置された、負レンズ、正レンズ、正レンズから成ることを特徴とする請求項６に記載のズームレンズ。
【請求項８】
前記第１レンズ群は、物体側から像側へ順に配置された、負レンズ、正レンズ、正レンズ、正レンズから成ることを特徴とする請求項６に記載のズームレンズ。
【請求項９】
前記後群は、物体側から像側へ順に配置された、正の屈折力の第３レンズ群、負の屈折力の第４レンズ群、正の屈折力の第５レンズ群から成ることを特徴とする請求項１乃至８のいずれか一項に記載のズームレンズ。
【請求項１０】
前記後群は、物体側から像側へ順に配置された、正の屈折力の第３レンズ群、負の屈折力の第４レンズ群、負の屈折力の第５レンズ群、正の屈折力の第６レンズ群から成ることを特徴とする請求項１乃至７のいずれか一項に記載のズームレンズ。
【請求項１１】
前記後群は、物体側から像側へ順に配置された、正の屈折力の第３レンズ群、正の屈折力の第４レンズ群、正の屈折力の第５レンズ群、負の屈折力の第６レンズ群、負の屈折力の第７レンズ群、正の屈折力の第８レンズ群から成ることを特徴とする請求項１乃至７のいずれか一項に記載のズームレンズ。
【請求項１２】
請求項１乃至１１のいずれか一項に記載のズームレンズと、前記ズームレンズによって形成される光学像を光電変換する撮像素子と、を有することを特徴とする撮像装置。
【発明の詳細な説明】
【技術分野】
【０００１】
本発明は、ズームレンズに関し、ビデオカメラ、スチルカメラ、放送用カメラ、銀塩フィルム用カメラ、監視用カメラ等の撮像装置に好適なものである。
【背景技術】
【０００２】
小型かつ高ズーム比の撮影光学系として、ポジティブリードタイプのズームレンズが知られている。
【０００３】
特許文献１には、物体側から像側へ順に配置された正の屈折力の第１レンズ群、負の屈折力の第２レンズ群、負の屈折力の第３レンズ群、正の屈折力の第４レンズ群から成るポジティブリードタイプのズームレンズが記載されている。
【先行技術文献】
【特許文献】
【０００４】
【特許文献１】特開２０１５−１７２６５１号公報
【発明の概要】
【発明が解決しようとする課題】
【０００５】
ポジティブリードタイプのズームレンズにおいてさらなる小型化または高ズーム比化を実現しようとする場合、ズームレンズを構成する各レンズの屈折力をより大きくする必要が生じる。しかしながら、各レンズの屈折力をより大きくしようとすると、温度変化により特に望遠端付近での軸上結像位置の変動が大きくなってしまうという課題がある。
【０００６】
特許文献１に記載のズームレンズでは、温度変化に対するピント位置の変動を一部のレンズ群の移動によって補償する構成をとっているが、より優れた性能のズームレンズを実現するには温度変化による結像性能の変化自体を低減することが望まれる。
【０００７】
そこで、本発明では小型かつ高ズーム比であって、温度変化に対する結像性能の変動を低減したズームレンズを提供することを目的とする。
【課題を解決するための手段】
【０００８】
本発明の光学系は、物体側より像側へ順に、正の屈折力の第１レンズ群、負の屈折力の第２レンズ群、１以上のレンズ群を含む後群を有するズームレンズであって、前記第１レンズ群は、ｄ線に対するアッベ数をνｄ１ｐ、ｄ線に対する屈折率の温度係数（１０−６／℃）をｄｎ１ｐ／ｄｔとしたとき、
６０．０＜νｄ１ｐ＜１００．０
−１５．０＜ｄｎ１ｐ／ｄｔ＜０．０
なる条件式を満足する少なくとも１つの正レンズと、ｄ線に対する屈折率をＮｄ１ｎ、ｄ線に対するアッベ数をνｄ１ｎ、ｄ線に対する屈折率の温度係数（１０−６／℃）をｄｎ１ｎ／ｄｔとしたとき、
１．８０＜Ｎｄ１ｎ＜２．３０
２６．０＜νｄ１ｎ＜５０．０
−３０＜ｄｎ１ｎ／ｄｔ＜２．０
なる条件式を満足する少なくとも１つの負レンズと、を含み、前記第１レンズ群の焦点距離をｆ１、広角端における前記ズームレンズの焦点距離をｆｗとするとき、
３＜ｆ１／ｆｗ＜１０
なる条件式を満足することを特徴とする。
【発明の効果】
【０００９】
本発明によれば、小型かつ高ズーム比であって、温度変化に対する光学性能の変動を低減したズームレンズを実現することができる。
【図面の簡単な説明】
【００１０】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】撮像装置の概略図である。
【発明を実施するための形態】
【００１１】
以下、本発明のズームレンズ及びそれを有する撮像装置の実施例について、添付の図面に基づいて説明する。
【００１２】
図１、３、５、７、９に、実施例１乃至５のズームレンズの断面図を示す。
【００１３】
各実施例のズームレンズＢ０はデジタルスチルカメラ、ビデオカメラ、銀塩フィルムカメラ、放送用カメラなどの撮像装置やプロジェクタ等の投射装置に用いられるものである。レンズ断面図において、左方が物体側（拡大側）で、右方が像側（縮小側）である。
【００１４】
各レンズ断面図において、Ｂｉ（ｉは自然数）は物体側から像側へ順に配置された各レンズ群である。なお、本願明細書におけるレンズ群とは１または複数のレンズから構成されるズームレンズＢ０の構成要素である。
【００１５】
また、ＳＰは開放Ｆナンバー（Ｆｎｏ）の光束を決定（制限）する開口絞りである。ＦＰはフレアカット絞りである。ＧＢは光学ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。
【００１６】
各レンズ断面図に示した矢印は広角端から望遠端へのズーミングに際しての各レンズ群の移動軌跡を表している。なお、本願明細書において広角端および望遠端は各レンズ群が、機構上、光軸上を移動可能な範囲の両端に位置したときのズーム位置をいう。
【００１７】
各実施例のズームレンズＢ０は、物体側から像側へ順に配置された、正の屈折力の第１レンズ群Ｂ１、負の屈折力の第２レンズ群Ｂ２、１以上のレンズ群を含む後群ＢＲを有する。
【００１８】
実施例１乃至３のズームレンズＢ０は、物体側から像側へ順に正の屈折力の第１レンズ群Ｂ１、負の屈折力の第２レンズ群Ｂ２、正の屈折力の第３レンズ群Ｂ３、負の屈折力の第４レンズ群Ｂ４、正の屈折力の第５レンズ群Ｂ５を有する５群のズームレンズである。実施例１乃至３のズームレンズＢ０において、第３レンズ群Ｂ３乃至第５レンズ群Ｂ５は後群ＢＲに相当する。
【００１９】
実施例４のズームレンズＢ０は、正の屈折力の第１レンズ群Ｂ１、負の屈折力の第２レンズ群Ｂ２、正の屈折力の第３レンズ群Ｂ３、負の屈折力の第４レンズ群Ｂ４、負の屈折力の第５レンズ群Ｂ５、正の屈折力の第６レンズ群Ｂ６を有する６群のズームレンズである。実施例４のズームレンズＢ０において、第３レンズ群Ｂ３乃至第６レンズ群Ｂ６は後群ＢＲに相当する。
【００２０】
実施例５のズームレンズＢ０は、正の屈折力の第１レンズ群Ｂ１、負の屈折力の第２レンズ群Ｂ２、正の屈折力の第３レンズ群Ｂ３、正の屈折力の第４レンズ群Ｂ４、正の屈折力の第５レンズ群Ｂ５、負の屈折力の第６レンズ群Ｂ６、負の屈折力の第７レンズ群Ｂ７、正の屈折力の第８レンズ群Ｂ８を有する８群のズームレンズである。実施例５のズームレンズＢ０において、第３レンズ群Ｂ３乃至第８レンズ群Ｂ８は後群ＢＲに相当する。
【００２１】
実施例１乃至３のズームレンズＢ０では、広角端から望遠端へのズーミングに際して第１レンズ群Ｂ１を像側へ凸状の軌跡を描いて、第２レンズ群Ｂ２を非線形の軌跡で像側へ、第３レンズ群Ｂ３を物体側へ移動させている。また、第４レンズ群Ｂ４は物体側へ、第５レンズ群Ｂ５は物体側へ非線形の軌跡で移動させている。
【００２２】
実施例４のズームレンズＢ０では広角端から望遠端へのズーミングに際して第１レンズ群Ｂ１を像側へ凸状の軌跡を描いて物体側へ、第２レンズ群Ｂ２を非線形の軌跡で像側へ移動させている。また、第３レンズ群Ｂ３、第４レンズ群Ｂ４、第５レンズ群Ｂ５は物体側へ凸状の軌跡を描いて物体側へ移動させている。第６レンズ群Ｂ６は物体側へ凸状の軌跡を描いて移動させている。
【００２３】
実施例５のズームレンズＢ０では、広角端から望遠端へのズーミングに際して第１レンズ群Ｂ１を物体側へ、第２レンズ群Ｂ２を非線形の軌跡で移動させている。また、第３レンズ群Ｂ３、第４レンズ群Ｂ４、第５レンズ群Ｂ５、第６レンズ群Ｂ６、第７レンズ群Ｂ７を物体側へ非線形の軌跡で物体側へ移動させている。また、第８レンズ群Ｂ８はズーミングに際して不動としている。
【００２４】
また、実施例１乃至３においては最も像側の第５レンズ群Ｂ５をフォーカスレンズ群とし、光軸上を移動させてフォーカシングを行うリアフォーカス式を採用している。また、実施例４においては第４レンズ群Ｂ４をフォーカスレンズ群とし、実施例５においては第６レンズ群Ｂ６をフォーカスレンズ群とするインナーフォーカス式を採用している。
【００２５】
望遠端において無限遠物体から近距離物体へフォーカスを行う場合、実施例１乃至３のズームレンズＢ０では、レンズ断面図の矢印５ｃに示すように第５レンズ群Ｂ５を前方に繰り出すことによって行っている。なお、第５レンズ群Ｂ５に関する実線の曲線５ａと点線の曲線５ｂはそれぞれ無限合焦時および最至近物体合焦時における広角端から望遠端へのズーミングに伴う際の像面変動を補正するための移動軌跡を示している。
【００２６】
実施例４では、レンズ断面の矢印４ｃに示すように第４レンズ群Ｂ４を像側に移動させることによって行っている。またレンズ断面図における第４レンズ群Ｂ４に関する実線の曲線４ａと点線の曲線４ｂはそれぞれ無限合焦時および最至近物体合焦時における広角端から望遠端へのズーミングに伴う際の像面変動を補正するための移動軌跡を示している。
【００２７】
実施例５では、レンズ断面の矢印６ｃに示すように第６レンズ群Ｂ６を像側に移動させることによって行っている。またレンズ断面図における第６レンズ群Ｂ６に関する実線の曲線６ａと点線の曲線６ｂはそれぞれ無限合焦時および最至近物体合焦時における広角端から望遠端へのズーミングに伴う際の像面変動を補正するための移動軌跡を示している。
【００２８】
図２、４、６、８、１０に、実施例１乃至５のズームレンズＢ０の収差図を示す。各収差図において、（Ａ）は広角端における収差図、（Ｂ）は中間ズーム位置における収差図、（Ｃ）は望遠端における収差図である。
【００２９】
収差図においてＦｎｏはＦナンバー、ωは半画角（度）であり、近軸計算による画角である。球面収差図において、ｄはｄ線（波長５８７．５６ｎｍ）、ｇはｇ線（波長４３５．８３５ｎｍ）について示している。
【００３０】
非点収差図においてＳはサジタル像面におけるｄ線、Ｍはメリディオナル像面におけるｄ線について示している。歪曲収差図はｄ線について示している。色収差図においてｇ線のｄ線に対する倍率色収差量について示している。
【００３１】
次に、各実施例のズームレンズＢ０の特徴について説明する。
【００３２】
一般に、ポジティブリードタイプのズームレンズを高ズーム比化する場合、主として望遠端における軸上色収差の補正が重要となる。そのため、第１レンズ群の正レンズに異常分散性が比較的高く低分散（例えばνｄ＞６０）の光学材料を使用することが多い。しかしながら、そのような光学材料では屈折率の温度係数ｄｎ／ｄｔが負であるものが多い。
【００３３】
それゆえ、温度変化に対する光学性能の変化をできるだけ低減させるためには、各レンズ群内において温度変化に対する性能の変化を低減させることが好ましい。ここで、特に高ズーム比のズームレンズでは光学性能に対して第１レンズ群の寄与が大きいため、第１レンズ群内において温度変化に対する性能の変化を低減させることが効果的である。
【００３４】
そこで、各実施例のズームレンズＢ０では、第１レンズ群Ｂ１の屈折力を所定の値としつつ、第１レンズ群Ｂ１に所定の条件を満たす正レンズと負レンズを少なくとも１つずつ設けることで、温度変化に対する性能の変化を低減させている。
【００３５】
具体的には、各実施例のズームレンズＢ０は以下の条件式（１）を満足し、第１レンズ群Ｂ１は以下の条件式（２）、（３）を共に満たす正レンズと、以下の条件式（４）乃至（６）をすべて満たす負レンズを少なくとも１枚ずつ有するように構成している。ここで、ｆ１は第１レンズ群Ｂ１の焦点距離である。ｆｗは広角端におけるズームレンズＢ０の焦点距離である。νｄ１ｐは第１レンズ群Ｂ１に含まれる正レンズのｄ線に対するアッベ数である。ｄｎ１ｐ／ｄｔは第１レンズ群Ｂ１に含まれる正レンズのｄ線に対する屈折率の温度係数（１０−６／℃）である。Ｎｄ１ｎは第１レンズ群Ｂ１に含まれる負レンズのｄ線に対する屈折率である。νｄ１ｎは第１レンズ群Ｂ１に含まれる負レンズのｄ線に対するアッベ数である。ｄｎ１ｎ／ｄｔは第１レンズ群Ｂ１に含まれる負レンズのｄ線に対する屈折率の温度係数（１０−６／℃）である。
３．０＜ｆ１／ｆｗ＜１００．０  （１）
６０．０＜νｄ１ｐ＜１００．０  （２）
−１５．０＜ｄｎ１ｐ／ｄｔ＜０．０  （３）
１．８０＜Ｎｄ１ｎ＜２．３０  （４）
２６．０＜νｄ１ｎ＜５０．０  （５）
−３０．０＜ｄｎ１ｎ／ｄｔ＜２．０  （６）
【００３６】
条件式（１）乃至（６）は、ズームレンズＢ０を小型かつ高ズーム比としつつ、温度変化に対する光学性能の変動を低減させるための条件である。
【００３７】
条件式（１）の下限値を下回って第１レンズ群Ｂ１の焦点距離ｆ１が小さくなりすぎると、主に望遠端付近における軸上色収差が増大してしまう。さらに、温度変化に伴い軸上の結像位置や球面収差の変動が大きくなるため好ましくない。
【００３８】
条件式（１）の上限値を超えて第１レンズ群Ｂ１の焦点距離ｆ１が大きくなりすぎると、第１レンズ群Ｂ１が大型化してしまう、または、望遠端での全長が長くなりすぎてしまい、ズームレンズＢ０の小型が困難となる。
【００３９】
条件式（２）の下限値を下回って第１レンズ群Ｂ１に含まれる正レンズのアッベ数νｄ１ｐが小さくなると、第１レンズ群Ｂ１における正レンズによる色ずれが顕著になり、主に望遠端付近における軸上色収差を補正することが困難になる。
【００４０】
条件式（２）の上限値を超えて第１レンズ群Ｂ１に含まれる正レンズのアッベ数νｄ１ｐが大きくなると、軸上色収差が過補正になってしまう。
【００４１】
条件式（３）の下限値を下回って第１レンズ群Ｂ１に含まれる正レンズの屈折率の温度係数ｄｎ１ｐ／ｄｔが小さくなると、温度変化に伴う望遠端付近における軸上の結像位置の変動が大きくなってしまう。また、フォーカス位置の変化に伴う光学性能の変動を広い温度範囲で一定程度小さく保つことが困難となる。
【００４２】
条件式（３）の上限値を超えて第１レンズ群Ｂ１に含まれる正レンズの屈折率の温度係数ｄｎ１ｐ／ｄｔが大きくなると、条件式（２）を満たす範囲で光学材料を選択することが困難となる。その結果、望遠端付近における軸上色収差を良好に補正することが困難となる。
【００４３】
条件式（４）の下限値を下回って第１レンズ群Ｂ１に含まれる負レンズの屈折率Ｎｄ１ｎが小さくなると、レンズの有効径が増大してしまいズームレンズＢ０を小型化することが困難となる。また、第１レンズ群Ｂ１に含まれる負レンズに十分な屈折力を付与しようとした際の負レンズの曲率半径が小さくなるため、温度変化による面変形が大きくなり光学性能が劣化しやすくなる。
【００４４】
条件式（４）の上限値を超えて第１レンズ群Ｂ１に含まれる負レンズの屈折率Ｎｄ１ｎが大きくなると、温度変化に伴う屈折率の変化量が大きくなり、温度変化に伴う望遠端付近における軸上の結像位置ずれや球面収差の変動が大きくなる。
【００４５】
条件式（５）の下限値を下回って第１レンズ群Ｂ１に含まれる負レンズのアッベ数νｄ１ｎが小さくなると、第１レンズ群Ｂ１に含まれる負レンズによる色ずれが顕著となり、特に望遠端付近における軸上色収差を補正することが困難になる。
【００４６】
条件式（５）の上限値を超えて第１レンズ群Ｂ１に含まれる負レンズのアッベ数νｄ１ｎが大きくなると、第１レンズ群Ｂ１内の正レンズとのアッベ数差が小さくなる。その結果、第１レンズ群Ｂ１内の色収差を補正する場合に正レンズおよび負レンズの曲率半径が小さくなってしまう。この場合、第１レンズ群Ｂ１が大型化してしまうため好ましくない。
【００４７】
条件式（６）の下限値を下回って第１レンズ群Ｂ１に含まれる負レンズの屈折率の温度係数ｄｎ１ｎ／ｄｔが小さくなると、第１レンズ群Ｂ１に含まれる正レンズの温度変化に伴う性能変化を負レンズで補償することが困難となる。その結果、温度変化に伴う軸上の結像位置ずれが大きくなってしまう。
【００４８】
条件式（６）の上限値を超えて第１レンズ群Ｂ１に含まれる負レンズの屈折率の温度係数ｄｎ１ｎ／ｄｔが大きくなると、温度変化に伴う望遠端付近における軸上の結像位置の変動が大きくなってしまう。また、フォーカス位置の変化に伴う光学性能の変動を広い温度範囲で一定程度小さく保つことが困難となる。
【００４９】
上述した条件式（１）乃至（６）の数値範囲は以下の条件式（１ａ）乃至（６ａ）のように設定することがより好ましい。
３．５＜ｆ１／ｆｗ＜８０．０  （１ａ）
６３．０＜νｄ１ｐ＜９８．０  （２ａ）
−１０．０＜ｄｎ１ｐ／ｄｔ＜０．０  （３ａ）
１．８０＜Ｎｄ１ｎ＜２．２５  （４ａ）
３０．０＜νｄ１ｎ＜４５．０  （５ａ）
−２５．０＜ｄｎ１ｎ／ｄｔ＜１．５  （６ａ）
【００５０】
また、条件式（１ａ）乃至（６ａ）の数値範囲は以下の条件式（１ｂ）乃至（６ｂ）のように設定することがさらに好ましい。
３．５＜ｆ１／ｆｗ＜５０．０  （１ｂ）
６５．０＜νｄ１ｐ＜９７．０  （２ｂ）
−３０．０＜ｄｎ１ｐ／ｄｔ＜０．０  （３ｂ）
１．８２＜Ｎｄ１ｎ＜２．２０  （４ｂ）
３３．０＜νｄ１ｎ＜４３．０  （５ｂ）
−２０．０＜ｄｎ１ｎ／ｄｔ＜１．２  （６ｂ）
【００５１】
また、各実施例のズームレンズは以下の条件式（７）乃至（１０）を１つ以上満足することが好ましい。ここで、Ｍ１は広角端から望遠端までのズーミングに伴う第１レンズ群Ｂ１の光軸上での移動量である。ｆｔはズームレンズＢ０の望遠端での焦点距離である。ｆ２は第２レンズ群Ｂ２の焦点距離である。αｎは第１レンズ群Ｂ１に含まれ、上記条件式（４）乃至（６）を満足する負レンズの線膨張係数（１０−７／℃）である。
０．０５＜Ｍ１／ｆｔ＜２．００  （７）
４．０＜｜ｆ１／ｆ２｜＜３０．０  （８）
０．０１＜｜ｆ２／ｆｔ｜＜０．２０  （９）
１０＜αｎ＜２００  （１０）
【００５２】
条件式（７）はズームレンズＢ０をより小型かつ軽量に構成しつつ高い光学性能を得るための条件式である。
【００５３】
条件式（７）の下限値を下回って第１レンズ群Ｂ１の移動量Ｍ１小さくなると、ズームレンズＢ０を高ズーム比化した際に第１レンズ群Ｂ１の屈折力が大きくなりすぎてしまう。それにより、特に望遠端付近における軸上色収差の補正が困難になる。さらに、温度変化や湿度変化などの環境変化による光学性能の変動が大きくなりやすくなる。
【００５４】
条件式（７）の上限値を超えて第１レンズ群Ｂ１の移動量Ｍ１が大きくなると、第１レンズ群Ｂ１の大型化や、高ズーム比化に伴う望遠端の全長の増加が起こる。したがって、ズームレンズＢ０を小型かつ軽量に構成することが困難となる。
【００５５】
条件式（８）はズームレンズＢ０をより小型かつ軽量に構成しつつ高い光学性能を得るための条件式である。
【００５６】
条件式（８）の下限値を下回って第１レンズ群Ｂ１の焦点距離ｆ１が第２レンズ群Ｂ２の焦点距離ｆ２に比べて小さくなると、主に望遠端付近における軸上色収差の補正が困難になる。また温度変化に伴う光学性能の変動が大きくなる。
【００５７】
条件式（８）の上限値を超えて第１レンズ群Ｂ１の焦点距離ｆ１が第２レンズ群Ｂ２の焦点距離ｆ２に比べて大きくなると、第１レンズ群Ｂ１が大型化してしまい、ズームレンズＢ０を十分小型に構成することが困難となる。
【００５８】
条件式（９）はズームレンズＢ０をより小型かつ軽量に構成しつつ高い光学性能を得るための条件式である。
【００５９】
条件式（９）の下限値を下回って第２レンズ群Ｂ２の焦点距離ｆ２が小さくなると、第２レンズ群Ｂ２の屈折力が大きくなりすぎ、主に広角端付近における倍率色収差、ズーム全域における像面湾曲の補正が困難になる。また、製造誤差に対する敏感度が高くなり、良好な光学性能を得ることが困難になる。
【００６０】
条件式（９）の上限値を超えて第２レンズ群Ｂ２の焦点距離ｆ２が大きくなると、第２レンズ群Ｂ２の屈折力が小さくなりすぎ、第２レンズ群Ｂ２が大型化してしまう。また、それに伴い第１レンズ群も大型化し、ズームレンズＢ０の小型および軽量化が困難となる。また、広角端付近における歪曲収差の補正が困難になる。
【００６１】
条件式（１０）は第１レンズ群Ｂ１に含まれ、上記条件式（４）乃至（６）を満足する負レンズの線膨張係数に関する。
【００６２】
条件式（１０）の範囲にある材料を第１レンズＢ１中の負レンズに使用することで、温度変化によるレンズ形状の変化およびそれによる光学性能の変動を抑えることができる。
【００６３】
上述した条件式（７）乃至（１０）の数値範囲は以下の条件式（７ａ）乃至（１０ａ）のように設定することがより好ましい。
０．０８＜Ｍ１／ｆｔ＜１．００  （７ａ）
４．２＜｜ｆ１／ｆ２｜＜２５．０  （８ａ）
０．０１＜｜ｆ２／ｆｔ｜＜０．１５  （９ａ）
１０＜αｎ＜１５０  （１０ａ）
【００６４】
また、条件式（７ａ）乃至（１０ａ）の数値範囲は以下の条件式（７ｂ）乃至（１０ｂ）のように設定することがさらに好ましい。
０．１０＜Ｍ１／ｆｔ＜０．５０  （７ｂ）
４．５＜｜ｆ１／ｆ２｜＜２０．０  （８ｂ）
０．０１＜｜ｆ２／ｆｔ｜＜０．１２  （９ｂ）
１０＜αｎ＜１００  （１０ｂ）
【００６５】
なお、第１レンズ群の構成は物体側から順に負レンズ、２枚の正レンズを含んで構成されることが好ましい。これにより、第１レンズ群Ｂ１をより小型化および軽量化しつつ望遠端付近における軸上色収差を良好に補正することが可能となる。
【００６６】
さらに、実施例２乃至５のズームレンズＢ０では第２レンズ群Ｂ２および、第３レンズ群Ｂ３の間に開口絞りＳＰを配置している。また、実施例２，３のズームレンズＢ０では開口絞りＳＰをレンズ群とは別体で移動させている。これにより、ズームレンズＢ０の前玉（最も物体側に配置されるレンズ）の径を小型化でき、さらに広角端付近の周辺光量の低下を改善できる。
【００６７】
また、ズーミングに際し、広角端に比べて望遠端において第１レンズ群Ｂ１と第３レンズ群Ｂ３がいずれも物体側に位置する様に第１レンズ群Ｂ１と第３レンズ群Ｂ３を移動させることが好ましい。これにより広角端におけるレンズ全長（第１レンズ面から像面までの長さ）を短くでき、前玉を小型化しつつ高いズーム比を得ることができる。
【００６８】
特に、各実施例のズームレンズでは、ズーミングに際して第３レンズ群Ｂ３を物体側に移動させることで、第３レンズ群Ｂ３に変倍機能を持たせている。これにより、第１レンズ群Ｂ１、第２レンズ群Ｂ２の屈折力を適正な大きさとしつつズームレンズＢ０を高ズーム比化することができる。
【００６９】
また、各実施例のズームレンズＢ０において、一部のレンズを光軸に対して垂直方向の成分を持つように移動させて像ぶれ補正を行ってもよい。
【００７０】
実施例１乃至４のズームレンズＢ０では、第３レンズ群Ｂ３を防振群としている。
【００７１】
実施例５のズームレンズＢ０では、第４レンズ群Ｂ４を防振群としている。
【００７２】
なお、各実施例のズームレンズＢ０において、光軸上に回転中心を持つように一部のレンズを回動させて防振を行っても良い。なお、レンズ群全体を防振群とする必要はなく、レンズ群のうちの一部のレンズのみを防振群としても良い。
【００７３】
また、第１レンズ群Ｂ１に含まれるレンズの有効径を小型化するには、第１レンズ群Ｂ１を光軸方向に薄型化するのが良い。このためには第１レンズ群Ｂ１を構成するレンズの枚数は少ない方が好ましい。
【００７４】
このために実施例１、２，４、５のズームレンズＢ０において第１レンズ群Ｂ１は物体側から像側へ順に、互いに接合された負レンズと正レンズ，および正レンズの３枚で構成している。また、実施例３のズームレンズＢ０では、第１レンズ群Ｂ１を物体側から像側へ順に、互いに接合された負レンズと正レンズ、正レンズ、および正レンズの４枚で構成している。
【００７５】
これにより、前玉径を小さくすることができる。また、第１レンズ群Ｂ１をこのように構成することにより、望遠端付近における色収差および球面収差を良好に補正できる。
【００７６】
また、各実施例のズームレンズにおいて第２レンズ群Ｂ２は少なくとも１つの負レンズと１つの正レンズを有する。具体的には実施例１、２、４においては第２レンズ群Ｂ２を物体側から順に負レンズ、負レンズ、正レンズの独立した３つのレンズにより構成している。実施例３においては第２レンズ群Ｂ２を物体側から順に負レンズ、負レンズ、負レンズ、正レンズの独立した４つのレンズにより構成している。実施例５においては第２レンズ群Ｂ２を物体側から順に負レンズ、負レンズ、正レンズ、負レンズの独立した４つのレンズにより構成している。これにより、第２レンズ群Ｂ２内で生じる諸収差を適切に補正することができる。
【００７７】
また、各実施例のズームレンズにおいて第３レンズ群Ｂ３は少なくとも１つの正レンズと１つの負レンズを有している。具体的には、実施例１，４のズームレンズＢ０では第３レンズ群Ｂ３を物体側から像側へ順に、正レンズ、メニスカス形状の負レンズ、正レンズにより構成している。実施例２のズームレンズＢ０では、第３レンズ群Ｂ３を物体側から像側へ順に、正レンズ、正レンズ、メニスカス形状の負レンズ、正レンズにより構成している。実施例３のズームレンズＢ０では物体側から像側へ順に、正レンズ、負メニスカスレンズ、負レンズ、正レンズの接合レンズにより構成している。実施例５のズームレンズＢ０では第３レンズ群Ｂ３を物体側から像側へ順に、正レンズ、メニスカス形状の負レンズにより構成している。これにより、主に防振時やズーミングに伴う中間のズーム位置におけるコマ収差をおよび全域における球面収差、軸上色収差を良好に補正している。
【００７８】
また、各実施例のズームレンズＢ０では第４レンズ群Ｂ４を１つの負レンズと正レンズの接合レンズで構成している。これにより、ズーム全域における倍率色収差を良好に補正している。また、第４レンズ群Ｂ４をフォーカスレンズ群とする場合はフォーカシングによる色収差の変動を低減させることができる。
【００７９】
また、実施例１，３，５のズームレンズＢ０では、第５レンズ群Ｂ５を１つの正レンズと負レンズの接合レンズで構成している。実施例２，４のズームレンズＢ０では、正レンズと負レンズで構成している。これにより、ズーム全域における倍率色収差を良好に補正している。また、第５レンズ群Ｂ５をフォーカスレンズ群とする場合はフォーカシングによる色収差の変動を低減させることができる。
【００８０】
さらに、実施例４のズームレンズＢ０では、第６レンズ群Ｂ６を正レンズと負レンズの接合レンズおよび正レンズで構成している。
【００８１】
実施例５のズームレンズＢ０では、第６レンズ群Ｂ６正レンズと負レンズの接合レンズで構成し、第７レンズ群を負レンズ１枚で構成し、第８レンズ群を正レンズ１枚で構成している。
【００８２】
次に、実施例１乃至５のそれぞれに対応する数値実施例１乃至５を示す。各数値実施例において、面番号は物体側から数えた際の光学面の順序を示す。ｒｉは物体側から数えて第ｉ番目（ｉは自然数）の光学面（第ｉ面）の曲率半径、ｄｉは第ｉ面と第ｉ＋１面との間の間隔である。ｎｄｉ、νｄｉは、それぞれ第ｉ番目の光学部材の屈折率、アッベ数である。
【００８３】
また、各数値実施例において、非球面には＊（アスタリスク）を付して示している。非球面形状は以下の式であらわされる。ここで、ｋを離心率、Ａ４、Ａ６、Ａ８、Ａ１０を非球面係数、光軸からの高さｈの位置での光軸方向の面位置の変位量をｘ（面頂点を基準とする）、Ｒを近軸曲率半径とする。
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
【００８４】
また、「ｅ−Ｚ」の表示は「１０−Ｚ」を意味する。
【００８５】
各実施例において、バックフォーカス（ＢＦ）は最終レンズ面から近軸像面までの距離を空気換算長により表したものである。レンズ全長は最も物体側の面から最終レンズ面までの距離にバックフォーカスを加えたものである。
【００８６】
［数値実施例１］
単位 mm
面データ
面番号       r        d      nd         νd
1         55.783    0.90   1.86157    37.9
2         25.143    4.30   1.49700    81.5
3       -257.750    0.05
4         24.397    3.30   1.48749    70.2
5        308.535  (可変)
6        248.424    0.45   1.83481    42.7
7          6.077    3.41
8        -19.998    0.35   1.77250    49.6
9         19.998    0.05
10         12.423    1.65   1.92286    18.9
11        113.864  (可変)
12          ∞      -0.60
13*         6.476    1.97   1.49710    81.6
14*        81.755    1.34
15(絞り)    ∞       0.00
16          ∞       0.76
17         10.711    0.40   2.00069    25.5
18          7.456    0.40
19*        11.317    1.71   1.49710    81.6
20*       -54.711    0.10
21          ∞     (可変)
22        -16.220    0.40   1.48749    70.2
23         14.624    0.90   1.51742    52.4
24         25.000  (可変)
25*        17.352    3.00   1.58313    59.4
26        -14.745    0.50   1.94595    18.0
27        -21.971  (可変)
28          ∞       1.00   1.51633    64.1
29          ∞       1.00
像面        ∞
非球面データ
第13面
K =-5.27447e-001  A 4= 2.27076e-004  A 6= 1.32962e-006  A 8=-4.38130e-007
第14面
K = 0.00000e+000  A 4= 2.87261e-004  A 6=-1.97849e-005  A 8=-9.54882e-008
第19面
K =-3.88893e+000  A 4= 4.98936e-004  A 6=-4.58853e-005  A 8=-3.76161e-007
第20面
K = 0.00000e+000  A 4= 6.14061e-004  A 6=-1.05375e-005
第25面
K =-1.05229e+000  A 4= 6.30453e-006  A 6= 1.69113e-007
各種データ
ズーム比     37.77
広角     中間     望遠
焦点距離       4.43    12.38   167.30
Fナンバー     3.29      4.51    7.14
半画角（°）  36.31    17.38     1.33
像高           3.25     3.88     3.88
レンズ全長    66.06    70.90    93.07
BF             8.43    16.04     4.11
d 5            0.21     9.43    34.03
d11           26.64    11.35     0.98
d21            1.85     2.32     4.99
d24            3.59     6.42    23.62
d27            6.77    14.38     2.45
ズームレンズ群データ
群  始面    焦点距離
1    1      47.07
2    6      -6.71
3   12      12.34
4   22     -20.33
5   25      19.70
【００８７】
［数値実施例２］
単位 mm
面データ
面番号       r        d      nd         νd
1        115.370    1.45   1.88504    42.8
2         57.163    7.20   1.49700    81.5
3       -497.299    0.05
4         53.017    6.18   1.43875    94.9
5        423.607  (可変)
6*       292.322    0.75   1.76802    49.2
7*         9.230    5.65
8        -21.844    0.60   1.88300    40.8
9         34.588    0.16
10         21.581    1.98   1.95906    17.5
11       5144.579  (可変)
12(絞り)    ∞     (可変)
13*         9.367    2.50   1.49710    81.6
14*       -58.012    0.13
15         21.816    2.70   1.43875    94.9
16        -20.593    0.23
17         18.720    0.40   1.80100    35.0
18          7.535    1.45
19*       306.975    2.10   1.49710    81.6
20*       -24.120    0.59
21          ∞     (可変)
22        -18.441    0.35   1.77250    49.6
23          7.080    1.50   1.70154    41.2
24       -133.345  (可変)
25*        21.840    2.90   1.77200    37.7
26*       -15.272    0.23
27        -21.134    0.50   1.95906    17.5
28       -120.610  (可変)
29          ∞       1.00   1.51633    64.1
30          ∞       1.00
像面        ∞
非球面データ
第6面
K = 0.00000e+000  A 4= 3.17088e-005  A 6=-6.83605e-008  A 8=-6.28093e-010
第7面
K = 0.00000e+000  A 4= 5.28677e-005  A 6= 3.97257e-008  A 8= 3.19966e-008
第13面
K = 0.00000e+000  A 4=-1.69712e-004  A 6=-1.58039e-006
第14面
K = 0.00000e+000  A 4= 2.23566e-004  A 6= 2.57489e-007
第19面
K = 0.00000e+000  A 4= 2.06000e-004  A 6= 2.09729e-005
第20面
K = 0.00000e+000  A 4= 5.16982e-005  A 6= 1.56518e-005
第25面
K = 0.00000e+000  A 4=-1.68608e-005  A 6= 1.27402e-006
第26面
K = 0.00000e+000  A 4= 2.57345e-005  A 6= 1.64041e-006  A 8=-4.80449e-009
各種データ
ズーム比     94.34
広角     中間     望遠
焦点距離       3.71    24.59   350.00
Fナンバー     3.50     5.00     7.50
半画角（°）  40.58     8.96     0.63
像高           3.18     3.88     3.88
レンズ全長   100.66   136.31   169.81
BF             5.22    11.53     4.47
d 5            0.50    47.69    88.25
d11           34.13    12.45     0.62
d12           14.67     3.34     0.44
d21            4.63     6.94     8.49
d24            1.92    14.77    27.96
d28            3.56     9.87     2.81
ズームレンズ群データ
群  始面    焦点距離
1    1     109.63
2    6      -9.09
3   13      15.62
4   22     -21.53
5   25      20.69
【００８８】
［数値実施例３］
単位 mm
面データ
面番号       r        d      nd         νd
1        110.908    1.50   1.93194    38.5
2         65.708    4.40   1.43875    94.9
3        242.500    0.05
4         91.769    4.25   1.43875    94.9
5       -755.461    0.05
6         59.301    4.35   1.43875    94.9
7        234.216  (可変)
8       5011.546    0.69   1.88300    40.8
9          9.177    4.15
10        -36.792    0.55   1.80400    46.6
11        104.733    1.69
12        -17.441    0.55   1.83481    42.7
13        -50.493    0.05
14         52.266    1.71   1.95906    17.5
15        -43.158  (可変)
16(絞り)    ∞     (可変)
17*        11.615    3.50   1.55332    71.7
18*       -77.114    2.65
19         27.124    0.50   1.77250    49.6
20         11.427    0.44
21         13.297    0.50   1.80518    25.4
22          8.647    3.65   1.49700    81.5
23        -24.784    0.70
24          ∞     (可変)
25      16183.068    0.35   1.77250    49.6
26          7.670    1.25   1.67270    32.1
27         23.663  (可変)
28         20.820    2.80   1.74320    49.3
29        -19.515    0.46   1.95906    17.5
30        -39.204  (可変)
31          ∞       1.00   1.51633    64.1
32          ∞       1.00
像面        ∞
非球面データ
第17面
K = 0.00000e+000  A 4=-5.42251e-005  A 6=-1.28233e-006  A 8= 9.60349e-009
第18面
K = 0.00000e+000  A 4= 4.84693e-005  A 6=-1.64620e-006  A 8= 1.66683e-008
各種データ
ズーム比     99.89
広角     中間     望遠
焦点距離       3.49   142.31   349.00
Fナンバー     3.30     5.90     7.87
半画角（°）  40.50     1.56     0.64
像高           2.98     3.88     3.88
レンズ全長   108.20   166.72   169.88
BF             9.34    17.11     2.40
d 7            0.65    75.99    79.29
d15           46.90     0.99     0.62
d16            4.60     1.17     0.46
d24            2.39    17.71    18.63
d27            3.52    12.95    27.69
d30            7.68    15.45     0.74
ズームレンズ群データ
群  始面    焦点距離
1    1     100.67
2    8      -8.69
3   17      17.70
4   25     -24.00
5   28      20.75
【００８９】
［数値実施例４］
単位 mm
面データ
面番号       r        d      nd         νd
1        102.615    2.30   2.00107    29.4
2         74.070    9.00   1.49700    81.5
3       2789.623    0.09
4         87.902    6.50   1.49700    81.5
5        680.677  (可変)
6       -473.024    1.36   1.83481    42.7
7         23.687    9.50
8        -39.934    1.00   1.59282    68.6
9         94.803    0.20
10         51.698    3.40   1.95906    17.5
11        278.668  (可変)
12(絞り)    ∞       0.85
13*        22.175    6.60   1.49710    81.6
14*         ∞       1.61
15          ∞       2.45
16         27.909    1.50   1.94595    18.0
17         21.228    2.20
18         37.699    4.50   1.49700    81.5
19        -34.142    0.00
20          ∞     (可変)
21         57.946    3.00   2.00069    25.5
22        -34.632    1.00   1.91082    35.3
23         18.375  (可変)
24        -27.826    1.70   1.80610    33.3
25        -63.184    0.34
26         32.619    2.55   1.49710    81.6
27        124.558  (可変)
28         34.525    5.50   1.77250    49.6
29        493.818    1.00   1.91082    35.3
30         53.916    1.20
31*        44.077    4.00   1.58313    59.4
32        254.753  (可変)
33          ∞       1.00   1.51633    64.1
34          ∞       1.00
像面        ∞
非球面データ
第13面
K =-6.18278e-003  A 4=-1.57663e-006  A 6= 2.27317e-008  A 8= 1.03236e-011
第14面
K =-1.38302e+027  A 4= 2.34989e-005  A 6= 3.69749e-008
第31面
K = 0.00000e+000  A 4=-5.26572e-006  A 6=-2.16747e-009
各種データ
ズーム比     15.78
広角     中間     望遠
焦点距離      15.45    52.05   243.75
Fナンバー     2.77     3.84     4.20
半画角（°）  35.46    14.46     3.15
像高          11.00    13.42    13.42
レンズ全長   177.45   187.94   215.43
BF             8.69    24.52    12.26
d 5            1.50    31.27    82.40
d11           72.63    25.11     1.40
d20            7.08    10.25    12.09
d23           12.51     9.43    12.52
d27            1.68    14.00    21.41
d32            7.03    22.87    10.60
ズームレンズ群データ
群  始面    焦点距離
1    1     130.58
2    6     -22.28
3   12      28.70
4   21     -35.75
5   24    -235.45
6   28      58.19
【００９０】
［数値実施例５］
単位 mm
面データ
面番号       r        d      nd         νd
1        104.700    1.60   1.94144    38.4
2         46.734    5.79   1.49700    81.5
3       -328.938    0.15
4         42.901    4.82   1.59522    67.7
5        407.967  (可変)
6         85.095    1.10   1.95375    32.3
7         13.410    5.75
8        -30.696    0.80   1.77250    49.6
9         73.571    0.15
10         28.516    4.95   1.84666    23.9
11        -32.317    0.70
12        -21.633    0.85   1.69680    55.5
13       -107.444  (可変)
14(絞り)    ∞       0.70
15*        13.359    4.34   1.58313    59.4
16*       -63.131    0.99
17         24.967    1.13   1.83481    42.7
18         12.763  (可変)
19         26.367    0.60   1.90366    31.3
20         13.254    3.07   1.69680    55.5
21       -181.370  (可変)
22       -139.488    3.18   1.51633    64.1
23        -11.296    0.79   2.00069    25.5
24        -15.743  (可変)
25         69.434    1.63   1.89286    20.4
26       -115.011    0.70   1.74951    35.3
27         18.111  (可変)
28*       -16.665    1.80   1.58313    59.4
29*       -29.531  (可変)
30        -53.123    2.96   1.76200    40.1
31        -29.032    9.84
32          ∞       1.00   1.51633    64.1
33          ∞       1.00
像面        ∞
非球面データ
第15面
K = 0.00000e+000  A 4=-3.65533e-005  A 6=-7.53646e-008  A 8= 1.66017e-009  A10= 8.60362e-012
第16面
K = 0.00000e+000  A 4= 4.07392e-005  A 6=-8.41391e-009  A 8= 2.51533e-009  A10= 5.11535e-012
第28面
K = 0.00000e+000  A 4=-6.32914e-005  A 6=-1.53965e-007  A 8= 4.30733e-009
第29面
K = 0.00000e+000  A 4=-4.77680e-005  A 6=-2.23174e-008  A 8= 3.30219e-009  A10=-9.51658e-012
各種データ
ズーム比      7.83
広角     中間     望遠
焦点距離      18.56    60.57   145.41
Fナンバー     3.60     6.01     6.49
半画角（°）  36.35    12.71     5.37
像高          13.66    13.66    13.66
レンズ全長   104.11   125.15   146.18
BF            11.50    11.50    11.50
d 5            0.60    19.43    39.50
d13           24.58     7.67     1.94
d18            2.75     2.49     2.95
d21            1.54     1.80     1.34
d24            1.40     4.20     1.14
d27           12.39     9.59    12.65
d29            0.80    19.92    26.62
ズームレンズ群データ
群  始面    焦点距離
1    1      74.28
2    6     -15.24
3   14      35.12
4   19      44.44
5   22      54.60
6   25     -37.59
7   28     -69.16
8   30      79.77
【００９１】
表１に、各実施例のズームレンズＢ０における上述した条件式の値を示す。ただし、屈折率の温度係数ｄｎ／ｄｔは温度が２０度から４０度へ変化した際の数値であり、単位は１０−６／℃である。
【００９２】
また、表２に、各実施例のズームレンズＢ０における望遠端（無限遠合焦時）で、温度が２０度から４０度へ変化した際の第１レンズ群Ｂ１の屈折力変動による近軸像面のずれ量（ｍｍ）を示す。表２に示すように、各実施例のズームレンズＢ０では、温度変化に伴う光学性能の変動を十分に低減できている。
【００９３】
以下の表に各実施例における種々の値を示す。
【００９４】
【表１】
2020177167.tif 000003
【００９５】
【表２】
2020177167.tif 000004
【００９６】
［撮像装置］
次に本発明の撮像装置の実施例について述べる。図１１は、本実施例の撮像装置（デジタルスチルカメラ）１０の概略図である。撮像装置１０は、カメラ本体１３と、上述した実施例１乃至３のいずれかと同様であるズームレンズ１１と、ズームレンズ１１によって形成される光学像を光電変換する受光素子（撮像素子）１２を備える。
【００９７】
本実施例の撮像装置１０は、小型かつ高ズーム比であって、温度変化に対する光学性能の変動を低減された高品位な画像を得ることができる。
【００９８】
なお、受光素子１２としては、ＣＣＤやＣＭＯＳセンサ等の撮像素子を用いることができる。このとき、受光素子１２により取得された画像の歪曲収差や色収差等の諸収差を電気的に補正することにより、出力画像を高画質化することもできる。
【００９９】
なお、上述した各実施例のズームレンズＢ０は、図１１に示したデジタルスチルカメラに限らず、銀塩フィルム用カメラやビデオカメラ、望遠鏡等の種々の光学機器に適用することができる。
【０１００】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【０１０１】
Ｂ０  ズームレンズ
Ｂ１  第１レンズ群
Ｂ２  第２レンズ群
ＢＲ  後群
【図１】
2020177167.tif 000005
【図２】
2020177167.tif 000006
【図３】
2020177167.tif 000007
【図４】
2020177167.tif 000008
【図５】
2020177167.tif 000009
【図６】
2020177167.tif 000010
【図７】
2020177167.tif 000011
【図８】
2020177167.tif 000012
【図９】
2020177167.tif 000013
【図１０】
2020177167.tif 000014
【図１１】
2020177167.tif 000015